【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
第１多孔層と、親水性樹脂組成物層と、第２多孔層とをこの順に含む酸性ガス分離膜シートの製造方法であって、
前記親水性樹脂組成物層を形成するための親水性樹脂組成物液を準備する工程と、
前記親水性樹脂組成物液に含まれる気泡を除去する工程と、
前記第１多孔層上に前記親水性樹脂組成物液を塗布して、前記第１多孔層上に塗布層を形成する工程と、
前記塗布層上に前記第２多孔層を積層して積層体を形成する工程と、を含み、
前記親水性樹脂組成物液は、親水性樹脂と媒質とを含み、
前記気泡を除去する工程は、
前記親水性樹脂組成物液にせん断を与える工程と、
前記親水性樹脂組成物液を静置する工程と、を含む、酸性ガス分離膜シートの製造方法。
【請求項２】
前記塗布層を形成する工程に前記第１多孔層を供給するために、ロール状の第１多孔層巻回体から前記第１多孔層を巻出す工程と、
前記積層体を形成する工程に前記第２多孔層を供給するために、ロール状の第２多孔層巻回体から前記第２多孔層を巻出す工程と、
前記積層体をロール状に巻取る工程と、を含む、請求項１に記載の酸性ガス分離膜シートの製造方法。
【請求項３】
前記親水性樹脂組成物液は、温度２５℃、せん断速度０．１ｓ−１における粘度が１００Ｐａ・ｓ以上である、請求項１又は２に記載の酸性ガス分離膜シートの製造方法。
【請求項４】
前記親水性樹脂組成物液は、さらに、酸性ガスと可逆的に反応する物質を含む、請求項１〜３のいずれか１項に記載の酸性ガス分離膜シートの製造方法。
【請求項５】
前記気泡を除去する工程は、前記せん断を与える工程と前記静置する工程とを、１回行うか２回以上繰り返して行う、請求項１〜４のいずれか１項に記載の酸性ガス分離膜シートの製造方法。
【請求項６】
前記気泡を除去する工程は、前記静置する工程を最後に行う、請求項１〜５のいずれか１項に記載の酸性ガス分離膜シートの製造方法。
【請求項７】
前記せん断を与える工程は、前記親水性樹脂組成物液を撹拌する工程、及び、前記親水性樹脂組成物液を濾過する工程の少なくとも一方を含む、請求項１〜６のいずれか１項に記載の酸性ガス分離膜シートの製造方法。
【請求項８】
前記静置する工程は、減圧雰囲気下で行われる、請求項１〜７のいずれか１項に記載の酸性ガス分離膜シートの製造方法。
【請求項９】
前記減圧雰囲気における圧力は、前記媒質の蒸気圧の１．０１倍以上である、請求項８に記載の酸性ガス分離膜シートの製造方法。
【請求項１０】
前記気泡を除去する工程の前に、前記親水性樹脂組成物液を所定温度に調整する工程を含む、請求項１〜９のいずれか１項に記載の酸性ガス分離膜シートの製造方法。
【請求項１１】
前記所定温度は、９０℃未満である、請求項１０に記載の酸性ガス分離膜シートの製造方法。
【請求項１２】
さらに、前記気泡を除去する工程と前記塗布層を形成する工程との間に、前記親水性樹脂組成物液に混入した気泡を確認する工程を含む、請求項１〜１１のいずれか１項に記載の酸性ガス分離膜シートの製造方法。
【請求項１３】
さらに、前記気泡を除去する工程を経た前記親水性樹脂組成物液を送出する工程を含み、
前記気泡を確認する工程は、
前記送出する工程で送出されている前記親水性樹脂組成物液を撮像する工程と、
前記撮像する工程で得られた画像を用いて前記親水性樹脂組成物液に混入した気泡を検出する工程と、を含む、請求項１２に記載の酸性ガス分離膜シートの製造方法。
【請求項１４】
さらに、前記気泡を検出する工程での検出結果に基づいて、前記送出する工程によって行われる前記親水性樹脂組成物液の前記塗布層を形成する工程への供給を制御する工程を有し、
前記制御する工程は、気泡の検出量が閾値以下である前記親水性樹脂組成物液を前記塗布層を形成する工程に供給するように制御する、請求項１３に記載の酸性ガス分離膜シートの製造方法。
【請求項１５】
前記第２多孔層における水の接触角は、温度２５℃において９０度以上である、請求項１〜１４のいずれか１項に記載の酸性ガス分離膜シートの製造方法。
【請求項１６】
前記第２多孔層は、ポリエチレン、ポリプロピレン、ポリスチレン、ポリエチレンテレフタレート、フッ素含有樹脂、ポリエーテルスルホン、ポリフェニレンサルファイド、ポリスルホン、ポリイミド、ポリエーテルイミド及びポリエーテルエーテルケトンからなる群より選ばれる１種以上の樹脂を含む、請求項１〜１５のいずれか１項に記載の酸性ガス分離膜シートの製造方法。
【請求項１７】
第１多孔層と、親水性樹脂組成物層と、第２多孔層とをこの順に含む酸性ガス分離膜シートの製造装置であって、
前記親水性樹脂組成物層を形成するための親水性樹脂組成物液に含まれる気泡を除去するための気泡除去部と、
ロール状の第１多孔層巻回体から前記第１多孔層を巻出すための第１多孔層巻出し部と、
前記親水性樹脂組成物液を前記第１多孔層上に塗布し、前記第１多孔層上に塗布層を形成するための塗布部と、
ロール状の第２多孔層巻回体から前記第２多孔層を巻出すための第２多孔層巻出し部と、
前記塗布層上に前記第２多孔層を積層して積層体を形成するための積層部と、
前記積層体をロール状に巻取るための積層体巻取り部と、を有し、
前記親水性樹脂組成物液は、親水性樹脂と媒質とを含み、
前記気泡除去部は、
前記親水性樹脂組成物液にせん断を与えるためのせん断印加部と、
前記親水性樹脂組成物液を静置するための静置部と、を有する、酸性ガス分離膜シートの製造装置。
【請求項１８】
さらに、前記塗布部に供給する前記親水性樹脂組成物液に混入している気泡を確認するための気泡確認部と、
前記気泡確認部による確認結果に基づいて、前記塗布部への前記親水性樹脂組成物液の供給を制御するための制御部とを有する、請求項１７に記載の酸性ガス分離膜シートの製造装置。
【手続補正２】
【補正対象書類名】明細書
【補正対象項目名】００１３
【補正方法】変更
【補正の内容】
【００１３】
〔７〕  前記せん断を与える工程は、前記親水性樹脂組成物液を撹拌する工程、及び、前記親水性樹脂組成物液を濾過する工程の少なくとも一方を含む、〔１〕〜〔６〕のいずれかに記載の酸性ガス分離膜シートの製造方法。
【手続補正３】
【補正対象書類名】明細書
【補正対象項目名】００２３
【補正方法】変更
【補正の内容】
【００２３】
〔１７〕  第１多孔層と、親水性樹脂組成物層と、第２多孔層とをこの順に含む酸性ガス分離膜シートの製造装置であって、
前記親水性樹脂組成物層を形成するための親水性樹脂組成物液に含まれる気泡を除去するための気泡除去部と、
ロール状の第１多孔層巻回体から前記第１多孔層を巻出すための第１多孔層巻出し部と、
前記親水性樹脂組成物液を前記第１多孔層上に塗布し、前記第１多孔層上に塗布層を形成するための塗布部と、
ロール状の第２多孔層巻回体から前記第２多孔層を巻出すための第２多孔層巻出し部と、
前記塗布層上に前記第２多孔層を積層して積層体を形成するための積層部と、
前記積層体をロール状に巻取るための積層体巻取り部と、を有し、
前記親水性樹脂組成物液は、親水性樹脂と媒質とを含み、
前記気泡除去部は、
前記親水性樹脂組成物液にせん断を与えるためのせん断印加部と、
前記親水性樹脂組成物液を静置するための静置部と、を有する、酸性ガス分離膜シートの製造装置。
【手続補正４】
【補正対象書類名】明細書
【補正対象項目名】００６０
【補正方法】変更
【補正の内容】
【００６０】
せん断印加工程（Ｓ２ａ）は、親水性樹脂組成物液にせん断を与える工程であれば特に限定されないが、親水性樹脂組成物液を撹拌する工程（以下、「撹拌工程」という。）、親水性樹脂組成物液をフィルターに通す工程（以下、「濾過工程」という。）等を挙げることができ、撹拌工程及び濾過工程の少なくとも一方であることが好ましい。せん断印加工程（Ｓ２ａ）では、撹拌工程と濾過工程との両方を行うことがより好ましく、この場合、先に撹拌工程を行い、その後、濾過工程を行うことが好ましい。
【手続補正５】
【補正対象書類名】明細書
【補正対象項目名】００９３
【補正方法】変更
【補正の内容】
【００９３】
（酸性ガス分離膜シートの製造装置）
上記したように、酸性ガス分離膜シート１０の製造方法は、例えば図３に示す酸性ガス分離膜シート１０の製造装置で行うことができる。酸性ガス分離膜シート１０の製造装置は、
第１多孔層１１と、親水性樹脂組成物層１５と、第２多孔層１２とをこの順に含む酸性ガス分離膜シートの製造装置であって、
親水性樹脂組成物層１５を形成するための親水性樹脂組成物液に含まれる気泡を除去するための気泡除去部と、
ロール状の第１多孔層巻回体１１ａから第１多孔層１１を巻出すための第１多孔層巻出し部と、
親水性樹脂組成物液を第１多孔層１１上に塗布し、第１多孔層１１上に塗布層を形成するための塗布部と、
ロール状の第２多孔層巻回体１２ａから第２多孔層を巻出すための第２多孔層巻出し部と、
塗布層上に第２多孔層１２を積層して積層体を形成するための積層部と、
積層体をロール状に巻取るための積層体巻取り部と、を有し、
親水性樹脂組成物は、親水性樹脂と媒質とを含み、
気泡除去部は、
親水性樹脂組成物液にせん断を与えるためのせん断印加部と、
親水性樹脂組成物液を静置するための静置部と、を有する。